(57)【特許請求の範囲】
【請求項１】
取付対象物にパネル体を取り付けるパネル体取付部材において、
前記パネル体を受け入れるパネル受入位置と、受け入れた前記パネル体を該パネル体の厚さ方向両側から挟持するパネル挟持位置との間で変位可能な保持部と、
前記取付対象物の被取付部に対して該被取付部を挟み込んで取付可能な一対の取付部と、
該取付部と前記保持部とを連係させる連係部とを備え、
前記取付部は、前記被取付部に取り付けられ互いに拡開される拡開位置と、それ以外の拡開位置よりも互いに近接して配置された閉位置との間で変位可能であり、
前記連係部は、前記取付部が拡開位置にされたときに、前記保持部を前記パネル挟持位置側に向かって弾性的に押圧することを特徴とするパネル体取付部材。
【請求項２】
前記保持部は、断面視凹状に形成され、
前記連係部は、前記保持部の断面視凹状の開口縁部から前記パネル体の厚さ方向両外側に向かうとともに下方に向かって延びて形成され、
前記連係部は、前記取付部が拡開位置のときに、前記保持部の開口縁部を閉じる方向に押圧する請求項１に記載のパネル体取付部材。
【請求項３】
前記保持部は、前記取付部が拡開位置と閉位置との何れの位置にある場合も、前記パネル体の厚さ方向両側から前記パネル体を押圧する押圧部を備え、該押圧部は、前記開口縁部よりも前記取付部側に設けられている請求項２に記載のパネル体取付部材。
【請求項４】
前記連係部は、前記パネル体の厚さ方向両外側に向かうにつれて、下方に向かって傾斜する請求項１から３の何れか一項に記載のパネル体取付部材。
【請求項５】
請求項１から４の何れか一項に記載のパネル体取付部材と、前記閉位置にある前記取付部よりも幅広な被取付部とを備え、前記受入位置にある前記保持部に前記パネル体が挿入され、前記取付部が拡開された状態で前記被取付部に取り付けられ、前記連係部により前記保持部がパネル挟持位置側に押圧され、前記パネル体が前記保持部によって挟持されていることを特徴とするパネル体の取付構造。
【請求項６】
前記被取付部は、一対の凹溝の垂下面を備えて構成される請求項５に記載のパネル体の取付構造。
【請求項７】
前記被取付部は、前記取付対象物の一対の縦壁の垂下面を備えて構成される請求項５に記載のパネル体の取付構造。
【請求項８】
前記パネル体取付部材の前記取付部は、その内側面に内側に向かって突出する係止爪部を備え、
前記垂下面は、前記被取付部に前記パネル体を取り付けた状態で、前記係止爪部に対向する位置に凹部を備える請求項６又は７に記載のパネル体の取付構造。
【発明の詳細な説明】
【技術分野】
【０００１】
この発明は、パネル体取付部材、およびパネル体の取付構造に関するものである。
【背景技術】
【０００２】
従来、オフィスに設置される間仕切壁やデスク天板などにパネル体を取り付けることで、目隠し効果による作業性の向上を図ったり、限られた空間を区分して有効利用を図るものがある。
上記パネル体を取付対象物に取り付けるパネル体取付構造にあっては、取付対象物に対して着脱可能に構成されたパネル体取付部材に凹溝を形成し、この凹溝に対してパネル体を差し込むことでパネル体を被取付部に取り付ける方法が知られている（例えば、特許文献１，２参照）。また、パネル体を保持する保持力を安定的に得るために、パネル体の厚さ方向でビス等の締結部材によりパネル体を挟み込んでパネル体とパネル体取付部材とを締結する方法（例えば、特許文献３〜５参照）が提案されている。
【先行技術文献】
【特許文献】
【０００３】
【特許文献１】実開平０７−０２３１２２号公報
【特許文献２】特開２００７−１８６９１３号公報
【特許文献３】特開２００６−２６５９３２号公報
【特許文献４】特開２００７−１８２７１７号公報
【特許文献５】特開２００３−０１３５２０号公報
【発明の概要】
【発明が解決しようとする課題】
【０００４】
しかしながら、上述した従来のパネル体の取付構造では、パネル体を凹溝に差し込む際に比較的大きな力が必要になったり、パネル体を取り付けるための締結部材が必要となり、また、締結部材などが外部に露出しないようにする化粧板などの部材を追加しなければならないなど構造が複雑化し、加工工数や部品点数が増加してコストが上昇してしまう。
この発明は、上記事情に鑑みてなされたものであり、加工工数や部品点数の増加によりコストが上昇するのを低減しつつ、取付対象物に対してパネル体を安定的且つ容易に取り付けることが可能なパネル体取付部材、および、パネル体の取付構造を提供するものである。
【課題を解決するための手段】
【０００５】
上記の課題を解決するために、本発明は以下の構成を採用する。
本発明に係るパネル体の取付構造は、取付対象物にパネル体を取り付けるパネル体取付部材において、前記パネル体を受け入れるパネル受入位置と、受け入れた前記パネル体を該パネル体の厚さ方向両側から挟持するパネル挟持位置との間で変位可能な保持部と、前記取付対象物の被取付部に対して該被取付部を挟み込んで取付可能な一対の取付部と、該取付部と前記保持部とを連係させる連係部とを備え、前記取付部は、前記被取付部に取り付けられ互いに拡開される拡開位置と、それ以外の拡開位置よりも互いに近接して配置された閉位置との間で変位可能であり、前記連係部は、前記取付部が拡開位置にされたときに、前記保持部を前記パネル挟持位置側に向かって弾性的に押圧することを特徴としている。
このように構成することで、受入位置にある保持部に対してパネル体を挿入し、この状態で、取付対象物の被取付部を挟み込むようにして取付部を取り付けると、取付部が拡開位置まで変位する。そして、取付部の変位に伴い、連係部が変位して、保持部をパネル挟持位置側に押圧する状態となり、この連係部の変位により保持部がパネル挟持位置側に変位して、パネル体が保持部によって挟持される。したがって、従来のように構成が複雑になり加工工数や部品点数が増加してコストが上昇するのを抑制しつつ、取付対象物に対してパネル体を安定的且つ容易に取り付けることが可能になる。
【０００６】
さらに、本発明に係るパネル体取付部材は、上記パネル体取付部材において、前記保持部は、断面視凹状に形成され、前記連係部は、前記保持部の断面視凹状の開口縁部から前記パネル体の厚さ方向両外側に向かうとともに下方に向かって延びて形成され、前記連係部は、前記取付部が拡開位置のときに、前記保持部の開口縁部を閉じる方向に押圧するようにしてもよい。
このように構成することで、パネル体を凹状の保持部に挿入することで、パネル体の位置決めを容易に行うことができる。
【０００７】
また、パネル体取付部材を被取付部に取り付けて、取付部が拡開位置まで変位されると、この取付部の変位により連係部の上部が内側に向かって傾動するように変位され、保持部の開口縁部が連係部によってパネル挟持位置側に押圧される。したがって、断面視凹状に形成された保持部の底部側の部分と比較して、内側に向かって変位し易い保持部の開口縁部を連係部によって弾性的に押圧できるので、同じ押圧力でより強固にパネル体を挟持することができる。
【０００８】
さらに、本発明に係るパネル体取付部材は、上記パネル体取付部材において、前記保持部は、前記取付部が拡開位置と閉位置との何れの位置にある場合も、前記パネル体の厚さ方向両側から前記パネル体を押圧する押圧部を備え、該押圧部は、前記開口縁部よりも前記取付部側に設けられるようにしてもよい。
このように構成することで、パネル体を保持部に挿入した後に、取付部が拡開位置にされるまでの間にパネル体を仮止めすることができる。また、保持部の開口縁部よりも取付部側に押圧部を配置することで、連係部により押圧される位置とは異なる位置に押圧部を配置することができるため、取付部が拡開位置とされた場合には、連係部による押圧と押圧部による押圧との両方でパネル体を挟持することができる。
【０００９】
さらに、本発明に係るパネル体取付部材は、上記パネル体取付部材において、前記連係部は、前記パネル体の厚さ方向両外側に向かうにつれて、下方に向かって傾斜するようにしてもよい。
このように構成することで、パネル体取付部材を取付対象物に取り付ける際の作業性を良好にすることができる。また、パネル取付状態における意匠性を良好にすることができる。
【００１０】
本発明に係るパネル体の取付構造は、上記パネル体取付部材と、前記閉位置にある前記取付部よりも幅広な被取付部とを備え、前記受入位置にある前記保持部に前記パネル体が挿入され、前記取付部が拡開された状態で前記被取付部に取り付けられ、前記連係部により前記保持部がパネル挟持位置側に押圧され、前記パネル体が前記保持部によって挟持されていることを特徴としている。
このように構成することで、パネル体を保持部に挿入して取付部を被取付部に取り付けた状態で、取付部が拡開位置になり、連係部が保持部を押圧した状態になり、この連係部による保持部の押圧によりパネル体が保持部によって挟持され固定されることとなる。したがって、簡単な取付作業でパネル体を安定的に取付対象物に取り付けることができる。
【００１１】
さらに、本発明に係るパネル体の取付構造は、上記パネル体の取付構造において、前記被取付部は、一対の凹溝の垂下面を備えて構成されるようにしてもよい。
このように構成することで、天板上面などの平面に対して、垂下面を有する凹溝を形成することで、平面を取付面としてパネル体を立設することができる。
【００１２】
さらに、本発明に係るパネル体の取付構造は、上記パネル体の取付構造において、前記被取付部は、前記取付対象物の一対の縦壁の垂下面を備えて構成されるようにしてもよい。
このように構成することで、間仕切壁等の狭幅な場所にパネル体を立設することができる。
【００１３】
さらに、本発明に係るパネル体の取付構造は、上記パネル体の取付構造において、前記パネル体取付部材の前記取付部は、その内側面に、内側に向かって突出する係止爪部を備え、前記垂下面は、前記被取付部に前記パネル体を取り付けた状態で、前記係止爪部に対向する位置に凹部を備えるようにしてもよい。
このように構成することで、被取付部に対してパネル体取付部材を取り付けた際に、係止爪部が凹部に入り込み、パネル体取付部材の取付対象物に対する着脱方向への変位を規制できるため、簡単な構成で確実且つ安定的にパネル体を立設することができる。
【発明の効果】
【００１４】
本発明に係るパネル体の取付構造によれば、受入位置にある保持部に対してパネル体を挿入し、この状態で、取付対象物の被取付部を挟み込むようにして取付部を取り付けると、取付部が拡開位置まで変位する。そして、この取付部の変位により連係部が保持部をパネル挟持位置側に変位させて弾性的に保持部を押圧する状態となり、この押圧力によりパネル体を保持部により挟持することができる。したがって、従来のように構成が複雑になり加工工数や部品点数が増加してコストが上昇するのを抑制しつつ、取付対象物に対してパネル体を安定的且つ容易に取り付けることが可能になる。
【図面の簡単な説明】
【００１５】
【図１】本発明の実施形態におけるパネル体を取り付けた間仕切壁の斜視図である。
【図２】本発明の実施形態におけるパネル体取付部材の正面図である。
【図３】上記パネル体取付部材の上面図である。
【図４】図２のＡ−Ａ線に沿う断面図である。
【図５】図２のＢ−Ｂ線に沿う断面図である。
【図６】上記パネル体取付部材にパネル体を挿入した状態を示す側面図である。
【図７】上記パネル体取付部材を間仕切壁に取り付けた状態を示す側面図である。
【図８】この実施形態の第一変形例における図６に相当する側面図である。
【図９】この実施形態の第二変形例における図６に相当する側面図である。
【発明を実施するための形態】
【００１６】
次に、この発明の実施形態におけるパネル体取付部材、および、パネル体の取付構造について図面を参照して説明する。なお、この実施形態においては、デスク１の天板２に立設された間仕切壁３にパネル体５を取り付ける場合を一例にして説明する。
図１に示すように、デスク１の天板２上には、取付対象物である平板状の間仕切壁３が立設され、この間仕切壁３の上端部３ａには、その上辺に沿って十分な間隔を空けて、２つのパネル体取付部材４が取り付けられている。このパネル体取付部材４には、略平板状のパネル体５が、間仕切壁３を上方に延長する方向に延在して取り付けられている。パネル体５は、間仕切壁３の上辺に沿う方向に長い略矩形に形成されたアクリル板や板ガラスなどからなり、例えば、目隠し用として用いられる場合には、無透明又は半透明とされる。
【００１７】
図２から図７に示すように、パネル体取付部材４は、断面視略凹状に形成された保持部１１と、間仕切壁３に取り付けられる取付部１２と、これら保持部１１および取付部１２の間を繋ぐ連係部１３とを備え、例えば、ＡＢＳ（アクリロニトリル・ブタジエン・スチレン）など、弾性を有した樹脂材料によって一体的に形成されている。なお、樹脂材料に限られず、十分な弾性を有していれば金属材料に置き換えてもよい。
【００１８】
保持部１１は、パネル体取付部材４が間仕切壁３に装着されていない状態で、パネル体５の厚さ寸法Ｌよりも若干広い間隔Ｌ１（図６参照）で略平行に配置される一対の縦壁１５を備えており、保持部１１の上辺に沿う延在方向の両側（図２参照）には、縦壁１５の下端同士を接続する一対の底壁１６が設けられている。これら底壁１６が形成されることで、開口縁部１５ａと反対側の縦壁１５の端部同士が、接近および離間方向へ変位するのを制限することができ、さらに、保持部１１がパネル体５を受け入れた際にパネル体５の縁部が突き当たってパネル体５の位置決めすることができる。さらに、パネル体取付部材４を間仕切壁３に取り付けた際には、間仕切壁３の上端面（被取付部）３ａ（図６参照）に突き当たりパネル体５の荷重を間仕切壁３に逃がすことができる。
【００１９】
保持部１１は、上述した一対の底壁１６に挟まれた保持部１１の延在方向の中央部に（図２参照）、保持部１１の内側に向かって突出する押圧部１７を対向配置して備えている。この押圧部１７の構成により、保持部１１にパネル体５が挿入されると、パネル体５により押圧部１７同士の間隙が押し広げられて縦壁１５が弾性変形し、この縦壁１５の復元力によって、パネル体５がその厚さ方向外側から押圧部１７に押圧される。また、押圧部１７の内側面は、断面略半円状に形成されており、これにより、保持部１１が後述する受入位置にある場合に、パネル体５を保持部１１から円滑に挿抜することが可能となっている。なお、図３に示す如く、パネル体取付部材４の底壁１６が形成される部位と、押圧部１７が形成される部位とは、それぞれ保持部１１の延在方向において、間隙Ｌ２をもって若干離間され、底壁１６が押圧部１７の変位を妨げないようになっている。
【００２０】
取付部１２は、上述した一対の縦壁１５の間隔Ｌ１よりも広い間隔で略平行に配置される一対の挟持壁１８を備えている。取付部１２は、一対の挟持壁１８によって、間仕切壁３の上端部３ａをその厚さ方向両外側から弾性的に挟み込んで取付可能となっている。取付部１２は、間仕切壁３の上端部３ａに取り付けられて一対の挟持壁１８が互いに拡開される拡開位置と、一対の挟持壁１８が拡開位置よりも互いに近接される閉位置との間で変位可能となっている。さらに、取付部１２は、上記閉位置のとき、一対の挟持壁１８の間隔が間仕切壁３の厚さ寸法よりも狭くなるように設定され、間仕切壁３の上端部３ａに取り付けられていないときには、閉位置に保持されるようになっている。
すなわち、保持部１２を閉位置から拡開位置まで変位させて、一対の挟持壁１８の内側に間仕切壁３の上端部３ａ（図１参照）を挿入すると、保持部１２が閉位置に戻ろうとして、一対の挟持壁１８が間仕切壁３の上端部３ａを弾性的に挟持し、その結果、パネル体取付部材４が間仕切壁３に固定された状態になる。
【００２１】
取付部１２の一対の挟持壁１８には、さらに、取付部１２の延在方向で底壁１６の位置に対応する位置（図２参照）に、それぞれ取付部１２の端部から内側に向かって突出する係止爪部１９が形成されている。
【００２２】
取付部１２と、保持部１１との間には、これら取付部１２と保持部１１とを連係させる連係部１３が設けられている。より具体的には、連係部１３は、取付部１２と保持部１１との間に配置され、縦壁１５の開口縁部１５ａと、取付部１２の保持部１１側の端部とを接続する略平板状に形成された一対の傾斜壁２０を備えて構成されている。これら傾斜壁２０は、側面視で、取付部１２に近づくほど離間するように傾斜して形成され、連係部１３と縦壁１５とのなす角度が、鋭角をなしている。連係部１３には、底壁１６の位置に対応し、且つ、最も取付部１２側の位置に、間仕切壁３の角部を位置決めする位置決め部２１が突出形成されている。
【００２３】
さらに、連係部１３は、図２、図６に示す如く、保持部１１の延在方向の両端において、傾斜壁２０と縦壁１５との間の空間を塞ぐ側壁１３ａを具備している。
【００２４】
一方、図６、図７に示すように、間仕切壁３は、閉位置にある取付部１２の挟持壁１８の間隔よりも厚く形成されており、間仕切壁３の上端部３ａには、厚さ方向の両外側に一対の垂下面２５が形成されている。また、一対の垂下面２５には、一対の挟持壁１８により一対の垂下面２５が挟持された際に上述した係止爪部１９が没入される一対の溝部２６が形成されている。この溝部２６に係止爪部１９が没入されることで、係止爪部１９が溝部２６の上側に形成された突部２７に引っかかり、間仕切壁３から離脱する方向へのパネル体取付部材４の変位が規制されるようになっている。
【００２５】
この実施形態のパネル体取付部材４および、パネル体５の取付構造は上記構成をなしており、次に、上記パネル体取付部材４の作用について図６、図７を参照しながら説明する。
まず、パネル体取付部材４が間仕切壁３に取り付けられていない状態で、パネル体取付部材４の保持部１１に対してパネル体５を下辺側から挿入する。ここで、図６の保持部１１は、受入位置にある状態を示しており、縦壁１５の間隔が間隔Ｌ１となっている。
【００２６】
保持部１１に対してパネル体５が挿入されると、押圧部１７がパネル体５により押し広げられて、押圧部１７が弾性的にパネル体５を厚さ方向両側から挟持する状態となる。さらに、パネル体５を押し込むと、パネル体５の下辺が保持部１１の底壁１６に突き当たり、パネル体５の位置決めがなされる。
【００２７】
次いで、パネル体５を保持部１１に挿入した状態のパネル体取付部材４を、間仕切壁３に取り付けるべく、取付部１２の一対の挟持壁１８を外側（図７の矢印方向）に拡開させ、その内側に間仕切壁３の上端部３ａを挿入する。この際、係止爪部１９を、溝部２６に没入させる。これにより一対の挟持壁１８の内面が、一対の垂下面２５を弾性的に押圧した状態で拡開位置に保持される。
【００２８】
取付部１２が拡開位置に保持されることで、挟持壁１８が、その端部ほど拡開された傾斜状態となり、この挟持壁１８の傾斜に伴って、連係部１３が内側に向かって傾斜しようとする。これにより、連係部１３が保持部１１の縦壁１５、特に開口縁部１５ａ側を押圧して、主に底壁１６が撓んで、縦壁１５の開口縁部１５ａが、保持部１１内側のパネル挟持位置（図７の矢印方向）に向かって変位する。この変位によりパネル体５が、その厚さ方向両外側から縦壁１５により挟持されることとなる。その後、取付部１２を間仕切壁３から取り外して取付部１２が閉位置とされるまで、パネル体５が縦壁１５により挟持された状態が保持される。なお、図７中、保持部１１がパネル挟持位置の場合、および、取付部１２が拡開位置の場合を、実線で示し、保持部１１が受入位置の場合、および、取付部１２が閉位置の場合を、二点鎖線で示している。
【００２９】
したがって、上述した実施形態のパネル体取付部材４によれば、受入位置にある保持部１１に対してパネル体５を挿入し、この状態で、取付対象物の被取付部である間仕切壁３の上端部３ａを挟み込むようにして取付部１２を取り付けると、取付部１２が拡開位置まで変位し、そして、この取付部１２の変位により連係部１３が保持部１１をパネル挟持位置側に変位させて保持部１１を押圧する状態となり、この押圧力によりパネル体５が保持部１１により挟持されるため、従来のように構成が複雑になり加工工数や部品点数が増加してコストが上昇するのを抑制しつつ、間仕切壁３に対してパネル体５を安定的且つ容易に取り付けることが可能になる。
【００３０】
さらに、保持部１１が、断面視略凹状に形成され、連係部１３が、保持部１１の開口縁部１５ａからパネル体５の厚さ方向両外側、且つ、下方に向かって延びて形成され、連係部１３が、取付部１２が拡開位置のときに、保持部１１の開口縁部１５ａを閉じる方向に押圧するので、パネル体５を凹状の保持部１１に挿入することで、パネル体５の位置決めを容易に行うことができ、また、パネル体取付部材４を間仕切壁３の上端部３ａに取り付けて、取付部１２が拡開位置まで変位されると、この取付部１２の変位により連係部１３の下部が外側に向かって変位され、これに伴い連係部１３の上部が内側に向かって変位されて、保持部１１の開口縁部１５ａが連係部１３によってパネル挟持位置側に押圧される。その結果、断面視略凹状に形成された保持部１１の底壁１６側よりも内側に向かって変位し易い保持部１１の開口縁部１５ａ側を連係部１３によって押圧できるので、同じ押圧力でより強固にパネル体５を挟持することができる。
【００３１】
さらに、取付部１２が拡開位置と閉位置との何れの位置にある場合もパネル体５の厚さ方向両側からパネル体５を押圧する押圧部１７を備え、この押圧部１７が、保持部１１の開口縁部１５ａよりも取付部１２側に設けられているので、パネル体５を保持部１１に挿入した後に、取付部１２が拡開位置にされるまでの間、パネル体５をパネル体取付部材４に仮止めすることができる。
また、保持部１１の開口縁部１５ａよりも取付部１２側に押圧部１７を配置することで、連係部１３により押圧される位置とは異なる位置に押圧部１７を配置することができるため、取付部１２が拡開位置とされた場合には、連係部１３による押圧と押圧部１７による押圧との両方でパネル体５を挟持することができる。
【００３２】
そして、上述した実施形態のパネル体５の取付構造によれば、パネル体５を保持部１１に挿入して取付部１２を間仕切壁３の上端部３ａに取り付けると、取付部１２が拡開位置まで変位して連係部１３が保持部１１を押圧するようになり、この押圧によりパネル体５を保持部１１によって挟持して固定することができるため、簡単な取付作業でパネル体５を安定的に間仕切壁３に取り付けることができる。
【００３３】
さらに、間仕切壁３の一対の垂下面２５を取付部１２により挟持してパネル体取付部材４を間仕切壁３の上端部３ａに取り付けることができるため、間仕切壁３の上端部３ａ等の狭幅な場所にもパネル体５を立設することができる。
【００３４】
さらに、パネル体取付部材４の取付部１２が、その内側面に、内側に向かって突出する係止爪部１９を備え、垂下面２５が、間仕切壁３の上端部３ａにパネル体５を取り付けた状態で、係止爪部１９に対向する位置に溝部２６を備えていることで、間仕切壁３の上端部３ａに対してパネル体取付部材４を取り付けた際に、係止爪部１９が溝部２６に入り込み、パネル体取付部材４の間仕切壁３の上端部３ａに対する着脱方向への変位を規制できるため、簡単な構成で確実且つ安定的にパネル体５を立設することができる。
【００３５】
なお、この発明は上述した実施形態の構成に限られるものではなく、その要旨を逸脱しない範囲で設計変更可能である。
例えば、上述した実施形態においては、比較的狭幅に形成された間仕切壁３の上端部３ａに取り付ける場合を一例にして説明したが、これに限られず、例えば、図８に示す第一変形例の如く、デスク天板などの平面３０に、取付部１２の挟持壁１８を挿入可能な一対の略平行な凹溝３１を形成し、これら一対の凹溝３１の各内側の垂下面２５ａを、挟持壁１８で挟持するようにしてもよい。また、係止爪部１９を係止させるための溝部２６ａを垂下面２５ａに形成するようにしてもよい。
【００３６】
さらに、上述した実施形態においては、連係部１３の傾斜壁２０が略平板状に形成されている場合を一例に説明したが、取付部１２が拡開位置とされた際に、保持部１１にパネル体５を挟持させる押圧力を作用させることができれば、上記の形状に限られるものではなく、さまざまな形状の連係部１３を採用できる。例えば、図９に示す第二変形例の如く、パネル体５の厚さ方向両外側に向かうにつれて、下方に傾斜するように湾曲形成された壁部２０Ａを連係部１３に設けるようにしてもよい。この場合、パネル体取付部材４を間仕切壁３に取り付ける際に作業者が把持しやすく、作業性を良好にすることができ、さらに、パネル体５の取付状態における意匠性をも良好にできる点で有利となる。
【００３７】
また、上述した実施形態においては、取付部１２の挟持壁１８が、樹脂材料の弾性により被取付部である上端部３ａを挟持する場合を一例に説明したが、取付部１２の挟持壁１８を閉位置に向かって付勢するばね等の弾性体を別途設けるようにしてもよい。
【００３８】
さらに、上述した実施形態のパネル体取付部材４は、樹脂材料により保持部１１、取付部１２、および、連係部１３をそれぞれ一体的に形成する場合を一例に説明したが、複数の部品に分割してこれらを組み立てるようにしてもよい。また、保持部１１、取付部１２、および、連係部１３を個別に形成して、それぞれリンクなどを介して傾動可能に連係するようにしてもよい。
【符号の説明】
【００３９】
３  間仕切壁（取付対象物）
３ａ  上端部（被取付部）
５  パネル体
１１  保持部
１２  取付部
１３  連係部
１７  押圧部
１９  係止爪部
３１  凹溝
２５，２５ａ  垂下面
２６，２６ａ  溝部
【図１】
0005836066.tif 000002
【図２】
0005836066.tif 000003
【図３】
0005836066.tif 000004
【図４】
0005836066.tif 000005
【図５】
0005836066.tif 000006
【図６】
0005836066.tif 000007
【図７】
0005836066.tif 000008
【図８】
0005836066.tif 000009
【図９】
0005836066.tif 000010